(57)【要約】      （修正有）【課題】簡単に外れないように強力な磁力で接着された磁石付き吊り下げ具を、梃子の原理を応用して、小さな力で簡単に磁性壁面から取り外すことができるようにする。【解決手段】フック体６の上部を永久磁石８が取り付けられた磁石ホルダー体４の下部に回転自在に支承する。フック体６の上端は磁石ホルダー体４に対する回転支承部より所定量上方に突出しフック体６は梃子を構成する。フック体６を磁石ホルダー体４に対して一方向に揺動するとフック体６の上部の、回転支承部から上方に突出する部分が磁石ホルダー体４の磁気吸着面１６の延長平面の内側の位置から外側に突出するように構成され、この突出力によって、フック体６の上部は磁石ホルダー体４を支点として磁性壁面２６を押圧し、この押圧力の反力で磁石ホルダー体４を永久磁石８の磁気力に抗して、磁性壁面２６から引き剥がす。【選択図】図１
0003140760.tif 000002
【実用新案登録請求の範囲】
【請求項１】
永久磁石８が取り付けられ背面側に磁気吸着面１６が形成された磁石ホルダー体４と、前記磁石ホルダー体４の下部に取り付けられたフック体６とから成る磁石付き吊り下げ具において、前記フック体６の上部を前記磁石ホルダー体４に回転自在に支承し、該フック体６の上端を前記回転支承部より上方に所定長さ突出させ、前記フック体６を前記磁石ホルダー体４に対して一方向に揺動すると前記フック体６の前記回転支承部から上方に突出する部分６ｃが前記磁気吸着面１６の延長平面から外側に突出するようにしたことを特徴とする磁石付き吊り下げ具。
【考案の詳細な説明】
【技術分野】
【０００１】
本考案は、梃子の原理を応用して接着面から簡単に取り外すことができるようにした磁石付き吊り下げ具に関する。
【背景技術】
【０００２】
従来の磁石付き吊り下げ具は、永久磁石を保持したホルダー体と、物を引っ掛けるフック体とが一体的に構成されている（例えば特許文献１参照）。
【特許文献１】実用新案登録第３０５５３１９号公報
【考案の開示】
【考案が解決しようとする課題】
【０００３】
この種の磁石付き吊り下げ具は、吊り下げ物の重量によって簡単に接着取付面から自然落下しないように強力な永久磁石が用いられている。そのため、腕力や握力の弱いお年寄りが磁石付き吊り下げ具を接着取付面から引き剥がし取り外そうとしても、力不足でなかなか取り外すことができなかった。
本考案はてこの原理を応用することで上記問題点を解決することを目的とするものである。
【課題を解決するための手段】
【０００４】
上記目的を達成するため本考案は、永久磁石８が取り付けられ背面側に磁気吸着面１６が形成された磁石ホルダー体４と、前記磁石ホルダー体４の下部に取り付けられたフック体６とから成る磁石付き吊り下げ具において、前記フック体６の上部を前記磁石ホルダー体４に回転自在に支承し、該フック体６の上端を前記回転支承部より上方に所定長さ突出させ、前記フック体６を前記磁石ホルダー体４に対して一方向に揺動すると前記フック体６の前記回転支承部から上方に突出する部分６ｃが前記磁気吸着面１６の延長平面から外側に突出するようにしたものである。
【考案の効果】
【０００５】
本考案は、磁石付き吊り下げ具を接着面から引き剥がすときフック体がてことして働くようにフック体を磁石ホルダー体に回転自在に取り付けたので、小さな引き剥がし力で簡単に強力な磁力を備えた磁石付き吊り下げ具を接着面から引き剥がすことができる。
【考案を実施するための最良の形態】
【０００６】
以下に本考案の実施の形態を添付した図面を参照して詳細に説明する。
本考案に係る磁石付き吊り下げ具２は、磁石ホルダー体４と、これに所定の回転角度の範囲内で揺動自在に枢支されたフック体６とを主たる構成要素としている。前記磁石ホルダー体４は、合成樹脂などの素材から成るブロック体により構成され、これの背面部側の磁石取付部１０に永久磁石８が固設されている。
【０００７】
前記磁石ホルダー体４の前記磁石取付部１０の下方には、その背面側と底面側に開放された挿入空間部１２が形成され、該挿入空間部１２に、フック体６の主部６ａの上部が配置されている。前記フック体６の主部６ａの上部の両側面は、前記挿入空間部１２の対向壁面間に配置され、軸１４によって、前記挿入空間部１２の対向壁面間に回転自在に支承されている。
【０００８】
前記永久磁石８の磁気吸着面は、前記磁石ホルダー体４の背面側に磁気吸着面１６を形成している。前記フック体６は、プラスチック等の合成樹脂により構成され、主部６ａの下部先端側にフック部６ｂが形成されている。前記フック体６の主部６ａは梃子としての機能を保有するようにその上端が、前記軸１４を基準として該軸１４の上方に所定量突出した構成となっている。
【０００９】
前記挿入空間部１２の、前記フック体６の主部６ａの上部と対向する壁面には、前記フック体６の軸１４を中心とする図１中、時計方向の揺動範囲を規制する係止面１８が形成されている。前記挿入空間部１２には、前記フック体６を、その主部６ａが前記係止面１８に係止され、主部６ａの背面側が前記磁気吸着面１６の延長同一平面上に位置する状態から、磁石ホルダー体４に対して、軸１４を中心として、図１中、反時計方向に揺動することができるようにするための開放空間部を形成する凹入面２０が形成されている。
【００１０】
前記フック体６の主部６ａには、該フック体６の、軸１４を中心とする図１中反時計方向の、揺動範囲を規制するストッパー用凸部２２が、前記磁石ホルダー体４の底面に対向して形成されている。前記フック体６の主部６ａの背面側には、永久磁石８に比し比較的弱い磁力の補助用の永久磁石２４が、前記軸１４の下方に位置して固設され、該永久磁石２４は、フック体６の主部６ａの背面に、該背面と略同一平面上となるように、補助用磁気吸着面を形成している。
【００１１】
前記磁石ホルダー体４の背面と前記磁気吸着面１６とは同一平面上に形成され、また、磁石付き吊り下げ具２の背面接着側を磁性壁面２６に当接し接着したとき、図１に示すように、磁石ホルダー体４の背面と磁気吸着面１６とフック体６の主部６ａの背面は同一平面上に位置するように構成されている。
【００１２】
上記した構成において、平坦面を有する磁性体から成る磁性壁面２６に磁石ホルダー体４の磁気吸着面１６と、フック体６の磁気吸着面を接着して、磁性壁面２６に磁石付き吊り下げ具２の背面側を脱着可能に取り付ける。磁石付き吊り下げ具２を磁性壁面２６から取り外すときは、手でフック体６のフック部６ｂを手前に即ち図１中、右方向に引っ張る。
【００１３】
このとき、フック体６は、軸１４を中心としこれを支点として、磁石ホルダー体４に対して、図１中、反時計方向に揺動し、補助用永久磁石２４が磁性壁面２６から離反する。この補助用永久磁石２４は磁力が強くないので簡単に磁性壁面から外れる。これにより、フック体６の主部６ａの上端の磁性壁面２６と対面する部分が、図２に示すように、磁性壁面２６方向に突出する方向に変位する。
【００１４】
この変位により、梃子の原理で、大きな押圧力でフック体６の主部６ａの上端突出部分６ｃが磁性壁面２６に圧接する。この圧接力の反力が磁石ホルダー体４に、磁性壁面２６から離反する方向に作用し、磁石ホルダー体４の磁気吸着面１６は、磁性壁面２６から離反する。なお、本実施形態において、フック体６に補助用の永久磁石２４を設けたが、フック体６に補助用の永久磁石２４を特に設けなくとも良い。
【図面の簡単な説明】
【００１５】
【図１】本考案に係る磁石付きフックの断面図である。
【図２】本考案に係る磁石付きフックの外観図である。
【符号の説明】
【００１６】
２      磁石付き吊り下げ具
４      磁石ホルダー体
６      フック体  
８      永久磁石
１０    磁石取付部
１２    挿入空間部
１４    軸
１６    磁気吸着面
１８    係止面
２０    凹入面
２２    ストッパー用凸部
２４    永久磁石
２６    磁性壁面
【図１】
0003140760.tif 000003
【図２】
0003140760.tif 000004